(57)【要約】【課題】各ユニットのうち何れかのユニットに異常が発生する場合でも該ユニットの制御データを容易に継承することの可能な給湯装置を提供する。【解決手段】ヒートポンプユニット１０、貯湯タンクユニット２０及びリモコンユニット４０のそれぞれは、自己のユニット内の記憶部１８，３１，４８に記憶された制御データ１８ａ，３１ａ，４８ａに基づき自己のユニットを制御し、自己のユニットの異常発生を予測する所定の動作条件を満たすと、記憶部１８，３１，４８に記憶された制御データ１８ａ，３１ａ，４８ａを少なくとも一つの他のユニットに送信し、他のユニットから制御データ１８ａ，３１ａ，４８ａを受信すると、受信した制御データ１８ａ，３１ａ，４８ａを記憶部１８，３１，４８に記憶させる制御部１９，３２，４９を備えた。【選択図】図２
2009236350.tif 000002
【特許請求の範囲】
【請求項１】
貯えられた温水を外部に供給する貯湯タンクユニットと、所定の設定条件に基づき貯湯タンクユニット内の温水を加熱するヒートポンプユニットと、前記設定条件を設定するためのリモコンユニットとを備えた給湯装置において、
前記各ユニットは、
自己のユニット内の記憶部に記憶された制御データに基づき自己のユニットを制御し、
自己のユニットの異常発生を予測する所定の動作条件を満たすと、記憶部に記憶された制御データを少なくとも一つの他のユニットに送信し、
他のユニットから制御データを受信すると、受信した制御データを記憶部に記憶させる制御部を備えた
ことを特徴とする給湯装置。
【請求項２】
前記ヒートポンプユニットの制御部は、
ヒートポンプユニットが動作しているときのヒートポンプユニットの被制御装置の性能値と、予め設定された該被制御装置の性能値との差が所定範囲外の場合に、ヒートポンプユニットの記憶部に記憶された制御データを少なくとも一つの他のユニットに送信する
ことを特徴とする請求項１記載の給湯装置。
【請求項３】
前記貯湯タンクユニットの制御部は、
貯湯タンクユニットが動作しているときの貯湯タンクユニットの被制御装置の性能値と、予め設定された該被制御装置の性能値との差が所定範囲外の場合に、貯湯タンクユニットの記憶部に記憶された制御データを少なくとも一つの他のユニットに送信する
ことを特徴とする請求項１または２記載の給湯装置。
【請求項４】
前記リモコンユニットの制御部は、
リモコンユニットが動作しているときのリモコンユニットの被制御装置の性能値と、予め設定された該被制御装置の性能値との差が所定範囲外の場合に、リモコンユニットの記憶部に記憶された制御データを少なくとも一つの他のユニットに送信する
ことを特徴とする請求項１、２または３記載の給湯装置。
【発明の詳細な説明】
【技術分野】
【０００１】
本発明は、例えばヒートポンプユニットによって貯湯タンク内の温水を設定温度に加熱することが可能な給湯装置に関するものである。
【背景技術】
【０００２】
従来、この種の給湯装置として、貯えられた温水を外部に供給する貯湯タンクユニットと、所定の設定条件に基づき貯湯タンクユニット内の温水を加熱するヒートポンプユニットと、前記設定条件を設定するためのリモコンユニットとを備えたものが知られている。
【０００３】
この給湯装置では、自己のユニットに記憶された制御データに基づき該ユニットの制御を行う制御部が各ユニット毎に設けられており、各ユニットの制御部間で信号の送受信を行うことにより、設定条件に基づき加熱された貯湯タンクユニット内の温水を外部に供給することができるようになっている。また、制御データには、加熱時間、加熱回数及び利用者の設定履歴等の固有データが記憶されている。
【０００４】
ところで、各ユニットのうち何れかのユニットに異常が発生した場合には、該ユニットを新たなユニットに交換するとともに、制御データを新たなユニットに継承させる必要がある。この場合、従来の給湯装置では、異常が発生したユニットの制御データを人手を介して他の記憶媒体に記憶させた後に、制御データを該記憶媒体から新たなユニットに送信することにより継承させていたので、制御データの継承作業が煩雑になり、給湯装置の運用コストが増加するという問題点があった。
【０００５】
そこで、自己が交換用として新たに取付けられたものか否かを判別し、新たに取付けられたものと判別した場合に接続相手からの転送データを受信記憶させる制御部を備えた給湯装置が知られている（例えば特許文献１参照）。この給湯装置では、異常が発生したユニットの制御部が、交換用のユニットの制御部に対して制御データを送信することにより、制御データを継承することができるようになっている。
【特許文献１】特開平１０−３００２０３号公報
【発明の開示】
【発明が解決しようとする課題】
【０００６】
しかしながら、前記従来例では、異常が発生したユニットの制御部と交換用のユニットの制御部とが互いに通信することにより制御データを送受信可能としているが、例えば制御部を構成するマイクロコンピュータの故障により異常が発生した場合には、異常が発生したユニットから制御データを送信することができない。この場合、ユニットを交換したときには、人為的に制御データを継承しなければならないことから、前述の問題点を解決することが困難であった。
【０００７】
本発明は前記問題点に鑑みてなされたものであり、その目的とするところは、各ユニットのうち何れかのユニットに異常が発生する場合でも該ユニットの制御データを容易に継承することの可能な給湯装置を提供することにある。
【課題を解決するための手段】
【０００８】
本発明は、前記目的を達成するために、貯えられた温水を外部に供給する貯湯タンクユニットと、所定の設定条件に基づき貯湯タンクユニット内の温水を加熱するヒートポンプユニットと、前記設定条件を設定するためのリモコンユニットとを備えた給湯装置において、前記各ユニットは、自己のユニット内の記憶部に記憶された制御データに基づき自己のユニットを制御し、自己のユニットの異常発生を予測する所定の動作条件を満たすと、記憶部に記憶された制御データを少なくとも一つの他のユニットに送信し、他のユニットから制御データを受信すると、受信した制御データを記憶部に記憶させる制御部を備えている。
【０００９】
これにより、各ユニットのうち何れかのユニットが自己の異常発生を予測する所定の動作条件を満たすと、該ユニットの制御データが少なくとも一つの他のユニットに送信されることから、自己のユニットに異常が発生する前に制御データを他のユニットに送信することが可能になる。
【発明の効果】
【００１０】
本発明によれば、自己のユニットに異常が発生する前に制御データを他のユニットに送信することができるので、例えばマイクロコンピュータの故障により異常が発生した場合でも、制御データを人為的に継承する作業が不要になる。従って、各ユニットのうち何れかのユニットに異常が発生する場合でも該ユニットの制御データを容易に継承することができ、給湯装置の運用コストを増加させることがないという利点がある。
【発明を実施するための最良の形態】
【００１１】
図１乃至図９は本発明の一実施形態を示すもので、図１は給湯装置の概略構成図、図２は給湯装置の制御系構成を示すブロック図、図３はヒートポンプユニットの予測判定情報のデータ構造の一例を示す図、図４は貯湯タンクユニットの予測判定情報のデータ構造の一例を示す図、図５はリモコンの外観正面図、図６はリモコンユニットの予測判定情報のデータ構造の一例を示す図、図７は異常発生を予測する場合のヒートポンプユニット制御部の動作を説明するフロー図、図８は異常発生を予測する場合の貯湯タンクユニット制御部の動作を説明するフロー図、図９は異常発生を予測する場合のリモコンユニット制御部の動作を説明するフロー図である。
【００１２】
まず、図１を参照して本実施形態の給湯装置の構成を説明する。
【００１３】
給湯装置は、ヒートポンプユニット１０と、貯湯タンクユニット２０と、リモコンユニット４０とを備えており、ヒートポンプユニット１０は、ＣＯ２等の冷媒を封入した冷媒管１１を介して圧縮機１２、水熱交換器１３、減圧弁１４及び熱交換器１５を順次接続して構成される冷媒回路を備えている。また、ヒートポンプユニット１０は、被制御装置としての圧縮機１２、温度センサ１３ａ、減圧弁１４、送風ファン１６、通信制御部１７及び記憶部１８を備えており、これらの各装置は、ヒートポンプユニット制御部１９によって制御される。
【００１４】
圧縮機１２は駆動源としてモータ（図示省略）を有し、回転数が可変制御される周知の構成からなり、冷媒を加圧して冷媒回路１７を循環させている。
【００１５】
水熱交換器１３は圧縮機１２から吐出され冷媒管１１を流れる高温高圧の冷媒と、後述の循環管２１を流れる温水との熱交換を行っている。これにより、水熱交換器１３は凝縮器として機能し、後述の循環管２１を流れる温水が加熱される。また、水熱交換器１３には、熱交換された循環管２１の温水の温度を検出する温度センサ１３ａが設けられており、温度センサ１３ａは、検出した温度を表す信号をヒートポンプユニット制御部１９に送信する。
【００１６】
減圧弁１４は周知の電動弁であり、水熱交換器１３によって熱を奪われた冷媒を減圧して低温低圧にしている。
【００１７】
熱交換器１５は減圧弁１４から流入された冷媒と送風ファン１６によって吸引した外部の空気との熱交換を行い、冷媒管１１を介して圧縮機１２へ冷媒を流出させている。これにより、熱交換器１５は蒸発器として機能し、冷媒が加熱される。また、送風ファン１６は、周知のモータ（図示省略）を駆動源として有しており、モータの回転数、即ち送風ファン１６の回転数に応じたパルス信号がヒートポンプユニット制御部１９に送信されるようになっている。
【００１８】
通信制御部１７は、ヒートポンプユニット１０と貯湯タンクユニット２０とを接続するためのインタフェース部として用いられるものである。
【００１９】
ヒートポンプユニット１０の記憶部１８は、ＥＥＰＲＯＭ等の書き換え可能な記憶素子であり、ヒートポンプユニット１０全体を制御するためのヒートポンプ用制御データ１８ａと、ヒートポンプユニット１０の異常発生を予測するための動作条件としての予測判定情報１８ｂとが記憶されている。ヒートポンプ用制御データ１８ａには、各被制御装置を制御するためのデータの他、設定条件の履歴、温水加熱処理を行う毎の各被制御装置の性能値及び各被制御装置の累積駆動時間等が記憶されている。予測判定情報１８ｂには、図３に示すように、被制御装置の正常動作時の性能を表す標準値と、正常動作として判別されるための性能値の許容範囲とが予め設定されている。
【００２０】
ヒートポンプユニット制御部１９はＣＰＵ、ＲＡＭ、ＲＯＭ及びタイマ回路等を備えたコンピュータからなり、記憶部１８のヒートポンプ用制御データ１８ａを用いてヒートポンプユニット１０の被制御装置を制御する。
【００２１】
貯湯タンクユニット２０は、循環管２１を介して貯湯タンク２２、循環ポンプ２３及び前述の水熱交換器１３を順次接続して構成される循環回路２４と、給水管２５、給湯管２６とを備えている。また、貯湯タンクユニット２０は、被制御装置としての複数の温度センサ２２ｅ、循環ポンプ２３、混合弁２７、流量計２８、温度計２９、通信制御部３０及び記憶部３１を備えており、これらの各装置は、貯湯タンクユニット制御部３２によって制御される。
【００２２】
貯湯タンク２２は、上部に循環入口２２ａ及び出湯口２２ｂを、下部に循環出口２２ｃ及び入水口２２ｄを備えており、外部の水源（図示省略）から給水管２５及び入水口２２ｄを介して常温の温水が必要に応じて供給されるようになっている。また、貯湯タンク２２には、複数の温度センサ２２ｅが上下方向等間隔に設けられており、それぞれ設置位置における貯湯タンク２０内の温水の温度を検出している。これにより、設定温度を検出している温度センサ２２ｅの設置位置から貯湯タンク２０内の所定温度の温水量と常温の温水量とが分かる。
【００２３】
循環ポンプ２３は循環出口２２ｃから流出した温水を加圧し、循環回路２４を循環させて循環入口２２ａから流入させている。これにより、貯湯タンク２２の下部から流出した温水がヒートポンプユニット１０の水熱交換器１３によって加熱され、貯湯タンク２２の上部から設定温度の温水が貯えられる。また、循環ポンプ２３は、周知のモータ（図示省略）を駆動源として有しており、モータの回転数に応じたパルス信号が貯湯タンクユニット制御部３２に送信されるようになっている。
【００２４】
混合弁２７は周知のステッピングモータ（図示省略）を駆動源として用いており、貯湯タンクユニット制御部３２からパルス信号を受信すると、弁体を回転させて開度を制御することにより、貯湯タンク２２内の湯と給水管２５の温水とを混合して所定の湯温に調整する。また、混合弁２７は、弁体が所定の位置に達したことが、混合弁２７に設けられたホールＩＣ素子やマイクロスイッチ等により検知されると、所定の基点位置検出信号を貯湯タンクユニット制御部３２に送信する。一方、貯湯タンクユニット制御部３２は、混合弁２７から受信した基点位置検出信号に基づき弁体の基点位置の確認処理を行うとともに、弁体の開度ずれを補正することが可能になる。この場合、貯湯タンクユニット制御部３２は、基点位置検出信号を受信した際の弁体の開度を基点位置として、弁体を任意の開度に調整するためのパルス信号を混合弁２７に送信することにより、弁体の開度が制御される。
【００２５】
貯湯タンク２２に貯えられた温水は、要求に応じて出湯口２２ｂから給湯管２６を介して外部に供給されるようになっており、給湯管２６に設けられた流量計２８及び温度計２９は混合弁２７から流出する温水の流量及び温度をそれぞれ検出している。
【００２６】
通信制御部３０は、貯湯タンクユニット２０と、ヒートポンプユニット１０及びリモコンユニット４０とを接続するためのインタフェース部として用いられるものである。
【００２７】
貯湯タンクユニット２０の記憶部３１はＥＥＰＲＯＭ等の書き換え可能な記憶素子であり、貯湯タンクユニット２０全体を制御するための貯湯タンク用制御データ３１ａと、貯湯タンクユニット２０の異常発生を予測するための動作条件としての予測判定情報３１ｂとが記憶されている。貯湯タンク用制御データ３１ａには、各被制御装置を制御するためのデータの他、設定条件の履歴、温水加熱処理を行う毎の各被制御装置の性能値及び各被制御装置の累積駆動時間等が記憶されている。予測判定情報３１ｂには、図４に示すように、被制御装置の正常動作時の性能を表す標準値と、正常動作として判別されるための性能値の許容範囲とが予め設定されている。
【００２８】
貯湯タンクユニット制御部３２はＣＰＵ、ＲＡＭ、ＲＯＭ及びタイマ回路等を備えたコンピュータからなり、記憶部３１の貯湯タンク用制御データ３１ａを用いて貯湯タンクユニット２０の各種機器を制御する。
【００２９】
リモコンユニット４０は、利用者が給湯装置の各種条件を設定するためのものであり、被制御装置としての選択ボタン４１，４２、決定ボタン４３、取消ボタン４４、ディスプレイ４５、スピーカ４６、通信制御部４７及び記憶部４８を備えており、これらの各装置は、送信手段及び受信手段としてのリモコンユニット制御部４９によって制御される。
【００３０】
図５に示すように、リモコンユニット４０の表面パネル４０ａにおいて、選択ボタン４１，４２、決定ボタン４３及び取消ボタン４４は中央下部に、ディスプレイ４５は中央上部に、スピーカ４６はディスプレイ４５の右側にそれぞれ設けられている。
【００３１】
通信制御部４７は、リモコンユニット４０と、貯湯タンクユニット２０とを接続するためのインタフェース部として用いられるものである。
【００３２】
リモコンユニット４０の記憶部４８はＥＥＰＲＯＭ等の書き換え可能な記憶素子であり、リモコンユニット４０全体を制御するためのリモコン用制御データ４８ａと、リモコンユニット４０の異常発生を予測するための動作条件としての予測判定情報４８ｂとが記憶されている。リモコン用制御データ４８ａには、各被制御装置を制御するためのデータの他、設定条件の履歴及び各被制御装置の累積駆動時間等が記憶されている。また、予測判定情報４８ｂには、図６に示すように、被制御装置の正常動作時の性能を表す標準値と、正常動作として判別されるための性能値の許容範囲とが予め設定されている。
【００３３】
リモコンユニット制御部４９はＣＰＵ、ＲＡＭ、ＲＯＭ及びタイマ回路等を備えたコンピュータからなり、記憶部４９のリモコン用制御データ４８ａを用いてリモコンユニット４０内の各種機器を制御する。
【００３４】
利用者は、ディスプレイ４５及びスピーカ４６に出力される情報に基づき選択ボタン４１，４２、決定ボタン４３及び取消ボタン４４を操作することにより、設定条件、例えばヒートポンプユニット１０によって加熱される貯湯タンク２２内の温水の温度を設定することができる。
【００３５】
なお、本実施形態では、設定条件として温度を設定できるようにしているが、これに限定されず、ヒートポンプユニット１０によって加熱される温水量又は加熱時間を設定できるようにしてもよいし、複数の設定条件をそれぞれ設定できるようにしてもよい。
【００３６】
以上のように構成された給湯装置において、リモコンユニット制御部４９は、利用者が貯湯タンク２２内の温水の温度を設定すると、通信制御部４７を介して温度情報を貯湯タンクユニット２０に送信する。一方、貯湯タンクユニット制御部３２は、通信制御部３０を介して温度情報をリモコンユニット４０から受信すると、受信した温度情報を記憶部３１に記憶する。
【００３７】
そして、貯湯タンクユニット制御部３２は、各温度センサ２２ａから入力される温度データに基づき貯湯タンク２２内の所定温度以上の温水が所定量以下になったときに、循環ポンプ２３を起動するとともに、所定の駆動信号を通信制御部３０を介してヒートポンプユニット１０に送信する。ヒートポンプユニット制御部１９は、通信制御部１７を介して駆動信号を貯湯タンクユニット２０から受信すると、圧縮機１２、減圧弁１４及び送風ファン１６を起動して貯湯タンク２２内の温水の加熱を開始する。
【００３８】
その後貯湯タンクユニット制御部３２は、各温度センサ２９から入力される温度データに基づき、貯湯タンク２２内が記憶部３１に記憶された設定温度の温水で満たされたときに、循環ポンプ２３を停止するとともに、所定の停止信号をヒートポンプユニット１０に送信する。一方、ヒートポンプユニット制御部１９は、通信制御部１７を介して停止信号を貯湯タンクユニット２０から受信すると、圧縮機１２、減圧弁１４及び送風ファン１６を停止して貯湯タンク２２内の温水の加熱を終了する。これにより、ヒートポンプユニット１０によって貯湯タンク２２内の温水が設定温度に加熱される。
【００３９】
次に、ヒートポンプユニット制御部１９がヒートポンプユニット１０の異常発生を予測する場合の動作について図７を参照して説明する。まず、ヒートポンプユニット制御部１９は、ヒートポンプユニット１０が動作している間の所定時間経過毎に、記憶部１８に記憶された予測判定情報１８ｂに基づきヒートポンプユニット１０の異常発生を予測したか否かを判別する（ステップＳ１）。この場合、ヒートポンプユニット制御部１９は、ヒートポンプユニット１０が動作しているときのヒートポンプユニット１０の被制御装置の性能値と、予め設定された該被制御装置の性能値との差を、図３の予測判定情報１８ｂを用いて算出する。
【００４０】
具体的には、ヒートポンプユニット制御部１９は、送風ファン１６が高速回転している場合に、送風ファン１６から受信したパルス信号に応じた送風ファン１６の回転数と、回転数の標準値（６００ｒｐｍ）との差を算出し、標準値との差が±５０ｒｐｍの範囲外のときに、モータの動作不良等による送風ファン１６の異常発生を予測したと判別する。
【００４１】
また、ヒートポンプユニット制御部１９は、水熱交換器１３から循環管２１に流れる温水の温度が設定温度に達するまでの時間（沸き上げ時間）を温度センサ１３ａから受信する信号に基づき取得するとともに、沸き上げ時間と設定温度に達するまでの沸き上げ時間の標準値との差を算出する。ここで、設定温度が６５℃に設定されている場合に、沸き上げ時間が３０分を超えた、即ち沸き上げ時間と標準時間（２０分）との差が１０分より大きいときには、水熱交換器１３の部材劣化等による異常発生を予測したと判別される。
【００４２】
そして、ヒートポンプユニット制御部１９は、異常発生を予測したと判別すると（ステップＳ２）、記憶部１８のヒートポンプ用制御データ１８ａを、通信制御部１７を介して貯湯タンクユニット２０に送信する（ステップＳ３）。一方、貯湯タンクユニット制御部３２は、ヒートポンプユニット１０からヒートポンプ用制御データ１８ａを受信すると、ヒートポンプ用制御データ１８ａを記憶部３１に記憶する。
【００４３】
次いで、貯湯タンクユニット制御部３２が貯湯タンクユニット２０の異常発生を予測する場合の動作について図８を参照して説明する。まず、貯湯タンクユニット制御部３２は、貯湯タンクユニット２０が動作している間の所定時間経過毎に、記憶部３１に記憶された予測判定情報３１ｂに基づき貯湯タンクユニット２０の異常発生を予測したか否かを判別する（ステップＳ１１）。この場合、貯湯タンクユニット制御部３２は、貯湯タンクユニット２０が動作しているときの貯湯タンクユニット２０の被制御装置の性能値と、予め設定された該被制御装置の性能値との差を、図４の予測判定情報３１ｂを用いて算出する。
【００４４】
具体的には、貯湯タンクユニット制御部３２は、循環ポンプ２３が駆動している場合に、循環ポンプ２３から受信したパルス信号に応じた循環ポンプ２３のモータの回転数と、回転数の標準値（２，０００ｒｐｍ）との差を算出し、標準値との差が±１００ｒｐｍの範囲外のときに、循環管２１の詰まり等による循環ポンプ２３の異常発生を予測したと判別する。
【００４５】
また、貯湯タンクユニット制御部３２は、混合弁２７の基点位置の確認処理を行い、弁体を基点位置まで移動させるための移動ステップ数を表すパルス信号に対して、基点位置検出信号を受信するまでに要した弁体の移動ステップ数との差が許容範囲外、即ち標準値（本実施形態では０ステップ）±２０ステップより大きくずれていた場合には、混合弁２７の異常発生を予測したと判別する。
【００４６】
さらに、貯湯タンクユニット制御部３２は、貯湯タンク２２内の温水の温度が６５℃に達した後における未使用状態の温水の温度を、各温度センサ２２ｅから所定時間毎に受信する信号に基づき取得する。この場合、貯湯タンクユニット制御部３２は、５時間経過後の温水の温度が６０℃未満、即ち温度低下が５℃よりも大きくなった場合に、貯湯タンク２２の断熱材（図示省略）の劣化等による異常発生を予測したと判別する。
【００４７】
そして、貯湯タンクユニット制御部３２は、異常発生を予測したと判別すると（ステップＳ１２）、記憶部３１の貯湯タンク用制御データ３１ａを、通信制御部３０を介してヒートポンプユニット１０及びリモコンユニット４０に送信する（ステップＳ１３）。一方、ヒートポンプユニット制御部１９及びリモコンユニット制御部４９は、貯湯タンクユニット２０から貯湯タンク用制御データ３１ａを受信すると、貯湯タンク用制御データ３１ａをそれぞれ記憶部１８，４８に記憶する。
【００４８】
次に、リモコンユニット制御部４９がリモコンユニット４０の異常発生を予測する場合の動作について図９を参照して説明する。まず、リモコンユニット制御部４９は、リモコンユニット４０が動作している間の所定時間経過毎に、記憶部４８に記憶された予測判定情報４８ｂに基づきリモコンユニット４０の異常発生を予測したか否かを判別する（ステップＳ２１）。この場合、リモコンユニット制御部４９は、リモコンユニット４０が動作しているときのリモコンユニット４０の被制御装置の性能値と、予め設定された該被制御装置の性能値との差を、図６の予測判定情報４８ｂを用いて算出する。
【００４９】
具体的には、リモコンユニット制御部４９は、ディスプレイ４５の累積駆動時間が予め設定された標準駆動時間（３０，０００時間）より超過した場合、即ち標準駆動時間を超過したときの累積駆動時間と該標準駆動時間との差が０よりも大きくなった場合に、輝度低下等によるディスプレイ４５の異常発生を予測したと判別する。
【００５０】
そして、リモコンユニット制御部４９は、異常発生を予測したと判別すると（ステップＳ２２）、記憶部４８のリモコン用制御データ４８ａを、通信制御部４７を介して貯湯タンクユニット２０に送信する（ステップＳ２３）。一方、貯湯タンクユニット制御部３２は、リモコンユニット４０からリモコン用制御データ４８ａを受信すると、リモコン用制御データ４８ａを記憶部３１に記憶する。
【００５１】
なお、上記フローでは説明を省略したが、異常発生後にユニットが交換されたときには、新たに取付けられたユニットの制御部１９，３２，４９は、最初に電源が投入される際に他のユニット１０，２０，４０に対して制御データ要求信号を送信することにより、他のユニットに記憶された制御データ１８ａ，３１ａ，４８ａを受信して自己のユニットの記憶部１８，３１，４８に記憶する。
【００５２】
このようにして、各ユニット１０，２０，４０のうち何れかのユニットが自己の異常発生を予測するための動作条件を満たすと、該ユニット１０，２０，４０の制御データが少なくとも一つの他のユニットに送信されることから、自己のユニットに異常が発生する前に制御データを他のユニットに送信することが可能になる。
【００５３】
このように、本実施形態の給湯装置によれば、ヒートポンプユニット１０、貯湯タンクユニット２０及びリモコンユニット４０のそれぞれは、自己のユニット内の記憶部１８，３１，４８に記憶された制御データ１８ａ，３１ａ，４８ａに基づき自己のユニットを制御し、自己のユニットの異常発生を予測する所定の動作条件を満たすと、記憶部１８，３１，４８に記憶された制御データ１８ａ，３１ａ，４８ａを少なくとも一つの他のユニットに送信し、他のユニットから制御データ１８ａ，３１ａ，４８ａを受信すると、受信した制御データ１８ａ，３１ａ，４８ａを記憶部１８，３１，４８に記憶させる制御部１９，３２，４９を備えたので、自己のユニットに異常が発生する前に制御データ１８ａ，３１ａ，４８ａを他のユニット１０，２０，４０に送信することができ、例えばマイクロコンピュータの故障により異常が発生した場合でも、制御データを人為的に継承する作業が不要になる。従って、各ユニットのうち何れかのユニットに異常が発生する場合でも該ユニットの制御データを容易に継承することができ、給湯装置の運用コストを増加させることがないという利点がある。
【００５４】
また、ヒートポンプユニット制御部１９は、ヒートポンプユニット１０が動作しているときのヒートポンプユニット１０の被制御装置の性能値と、予め設定された該被制御装置の性能値との差が所定範囲外の場合に、記憶部１８に記憶されたヒートポンプ用制御データ１８ａを貯湯タンクユニット２０に送信するので、ヒートポンプユニット１０に異常が発生する場合でもヒートポンプ用制御データ１８ａを容易に継承することができる。
【００５５】
さらに、貯湯タンクユニット制御部３２は、貯湯タンクユニット２０が動作しているときの貯湯タンクユニット２０の被制御装置の性能値と、予め設定された該被制御装置の性能値との差が所定範囲外の場合に、記憶部３１に記憶された貯湯タンク用制御データ３１ａをヒートポンプユニット１０及びリモコンユニット４０に送信するので、貯湯タンクユニット２０に異常が発生する場合でも貯湯タンク用制御データ３１ａを容易に継承することができる。
【００５６】
さらにまた、リモコンユニット制御部４９は、リモコンユニット４０が動作しているときのリモコンユニット４０の被制御装置の性能値と、予め設定された該被制御装置の性能値との差が所定範囲外の場合に、記憶部４８に記憶されたリモコン用制御データ４８ａを貯湯タンクユニット２０に送信するので、リモコンユニット４０に異常が発生する場合でもリモコン用制御データ４８ａを容易に継承することができる。
【００５７】
なお、上記実施形態は本発明の具体例に過ぎず、本発明が上記実施形態のみに限定されるものではない。従って、本発明の要旨を逸脱しない範囲内において種々変更を加えてもよい。
【図面の簡単な説明】
【００５８】
【図１】本発明の一実施形態を示す給湯装置の概略構成図
【図２】給湯装置の制御系構成を示すブロック図
【図３】ヒートポンプユニットの予測判定情報のデータ構造の一例を示す図
【図４】貯湯タンクユニットの予測判定情報のデータ構造の一例を示す図
【図５】リモコンの外観正面図
【図６】リモコンユニットの予測判定情報のデータ構造の一例を示す図
【図７】異常発生を予測する場合のヒートポンプユニット制御部の動作を説明するフロー図
【図８】異常発生を予測する場合の貯湯タンクユニット制御部の動作を説明するフロー図
【図９】異常発生を予測する場合のリモコンユニット制御部の動作を説明するフロー図
【符号の説明】
【００５９】
１０…ヒートポンプユニット、１２…圧縮機、１３ａ…温度センサ、１４…減圧弁、１６…送風ファン、１７…通信制御部、１８…記憶部、１８ａ…ヒートポンプ用制御データ、１９…ヒートポンプユニット制御部、２０…貯湯タンクユニット、２２…貯湯タンク、２２ｅ…複数の温度センサ、２３…循環ポンプ、２７…混合弁、２８…流量計、２９…温度計、３０…通信制御部、３１…記憶部、３１ａ…貯湯タンク用制御データ、３２…貯湯タンクユニット制御部、４０…リモコンユニット、４１，４２…選択ボタン、４３…決定ボタン、４４…取消ボタン、４５…ディスプレイ、４６…スピーカ、４８…記憶部、４８ａ…リモコン用制御データ、４９…リモコンユニット制御部。
【図１】
2009236350.tif 000003
【図２】
2009236350.tif 000004
【図３】
2009236350.tif 000005
【図４】
2009236350.tif 000006
【図５】
2009236350.tif 000007
【図６】
2009236350.tif 000008
【図７】
2009236350.tif 000009
【図８】
2009236350.tif 000010
【図９】
2009236350.tif 000011